(57)【要約】 【課題】  本発明は、制御部の処理を増大させることなく、また、波形データの表示更新を停止することなく、記録部へ波形データを記録する記録機能付き測定器の提供する。【解決手段】  取り込んだデータを記録する機能を有する記録機能付き測定器において、データ処理された被測定対象の信号を格納し、格納されたデータを表示用データに変換する表示処理部と、前記表示処理部の出力を入力とし、記録用データを格納する記録メモリと、前記記録メモリのデータを読み込み記録する記録部とを備える。【選択図】                    図１
2006162395.tif 000002
【特許請求の範囲】
【請求項１】
取り込んだデータを記録する機能を有する記録機能付き測定器において、
データ処理された被測定対象の信号を格納し、格納されたデータを表示用データに変換する表示処理部と、
前記表示処理部の出力を入力とし、記録用データを格納する記録メモリと、
前記記録メモリのデータを読み込み記録する記録部と、
を備えることを特徴とする記録機能付き測定器。
【請求項２】
取り込んだデータを記録する機能を有する記録機能付き測定器において、
データ処理された被測定対象の信号を格納する表示メモリと、
前記表示メモリのデータを読み込み、合成処理を行い、表示部に出力する合成処理部と、
前記合成処理部の出力を入力とし、記録用データを格納する記録メモリと、
前記記録メモリのデータを読み込み記録する記録部と、
を備えることを特徴とする記録機能付き測定器。
【請求項３】
前記記録メモリは、制御部の指示により前記合成処理部のデータを格納して、前記記録部に記録することを特徴とする請求項２記載の記録機能付き測定器。
【請求項４】
取り込んだデータを記録する機能を有する記録機能付き測定器において、
データ処理された被測定対象の信号を格納する表示メモリと、
前記表示メモリのデータを読み込み、合成処理を行い、表示部に出力する第１の合成処理部と、
前記表示メモリのデータを読み込み、合成処理を行う第２の合成処理部と、
前記第２の合成処理部の出力を入力とし、記録用データを格納する記録メモリと、
前記記録メモリのデータを読み込み記録する記録部と、
を備えることを特徴とする記録機能付き測定器。
【請求項５】
前記記録メモリは、制御部の指示により前記第２の合成処理部のデータを格納して、前記記録部に記録することを特徴とする請求項４記載の記録機能付き測定器。
【請求項６】
前記記録メモリは前記表示メモリの更新レートに同期してデータを格納することを特徴とする請求項２乃至請求項４記載の記録機能付き測定器。
【請求項７】
アクイジションメモリは前期被測定対象の信号をＡ／Ｄ変換して格納し、
データ処理回路は前記アクイジションメモリのデータを読み出し、色なし波形ビットマップデータに変換して前記表示メモリに格納し、
前記合成処理部は前記表示メモリのデータを読み出してＲＧＢデータに変換し、
前記記録メモリは前記合成処理部で変換されたＲＧＢデータを波形ビットマップデータとして格納し、
前記記録部は前記記録メモリのデータを読み込み記録することを特徴とする記録機能付き測定器。
【発明の詳細な説明】
【技術分野】
【０００１】
本発明は、デジタルオシロスコープに代表される記録機能を備えた測定器において、画像イメージをプリンタにて印字する機能または記憶メディアに保存する機能の改善に関するものである。
【背景技術】
【０００２】
一般的にデジタルオシロスコープに代表される記録機能を備えた測定器は、内蔵されたプリンタによって画面に表示された波形を印字することが可能である。
【０００３】
【特許文献１】特願平１１−３３７５８６号公報
【０００４】
特許文献１には、一般的なデジタルオシロスコープの構成が説明されている。図３は特許文献１の従来のデジタルオシロスコープの構成図であり、メモリ１１０には図示を省略した被測定対象のアナログ信号をＡ／Ｄ変換して得られたサンプリングデータが格納されている。データ処理装置１２０はメモリ１１０に格納されたサンプリングデータについてＰ−Ｐ圧縮処理等必要なデータ処理を施し、処理されたデータを表示メモリ１４０に格納する。表示コントロール装置１３０は表示メモリ１４０に格納されたデータを読み出して表示装置１５０に表示している。
【０００５】
また、データ処理装置１２０には測定レンジの設定や表示波形の切替えなどの各種操作を行うための操作キー１７０が接続され、更に表示メモリ１４０の内容を印字するためプリンタ装置１６０が接続されている。
【０００６】
このような構成のデジタルオシロスコープにおいて、測定者は被測定対象の波形を表示装置に表示された波形によって監視することが可能である。また表示メモリ１４０に格納された表示用データをプリンタ装置１６０によって印字することにより、表示装置１５０に表示された画面のリアルタイムプリントを実施することが可能である。
【０００７】
次に、従来技術による記録機能を備える測定器の構成を図４を参照して説明する。図４で、アクイジションメモリ１は図示を省略した被測定対象のアナログ信号をＡ／Ｄ変換して得られたサンプリングデータが格納される。データ処理回路２はアクイジションメモリ１に格納されているデジタルデータを読み出し、ビットマップデータに変換する。
【０００８】
表示メモリ３Ａはデータ処理回路２で変換されたビットマップデータを格納する。合成処理部３Ｂは表示メモリ３Ａに格納されたデータを読み出し、内部レジスタ３１に備えられているカラーパレットに従って、ビットマップデータをＲＧＢデータに変換する。表示メモリ３Ａと合成処理部３Ｂで表示処理部３０を構成する。
【０００９】
表示部６は、例えばカラーＬＣＤディスプレーなどであり、表示処理回路３０から出力される波形ＲＧＢデータを表示する。
【００１０】
一方、表示処理部３０の表示メモリ３Ａに格納されたビットマップデータは、制御部４の指示により印字用データに編集され、プリンタ５Ａに印字あるいは記憶メディア５Ｂに記憶する等、記録部５に波形データを記録する。制御部４は例えばＣＰＵなどである。
【発明の開示】
【発明が解決しようとする課題】
【００１１】
表示部６に入力される波形データは、被測定対象の波形をサンプリングしてこれをビットマップデータに変換して表示メモリ３Ａに格納し、合成処理部３ＢでＲＧＢ変換する動作により得られた波形データが転送されるもので、一定の更新レートで定期的に更新して表示される。
【００１２】
また、記録部５に波形データを記録する場合、制御部４は表示メモリ３Ａに格納されたビットマップデータに対して合成処理部３Ｂと同様の処理を行い、プリンタ５Ａ等の記録部５に記録している。
【００１３】
しかし、図４のような構成では、表示メモリ３Ａに格納されたビットマップデータを元に、制御部４が記録用のデータに編集、すなわち合成処理およびビットマップデータをＲＧＢ変換しているので、制御部４の処理が増大してしまう。また、データの同時性を保つため、記録部５に記録している間は、表示メモリ３Ａを更新することができないため、記録作業の実行は表示更新を停止させて行う必要がある。
【００１４】
本発明は、制御部の処理を増大させることなく、また、波形データの表示更新を停止することなく、記録部へ波形データを記録する記録機能付き測定器の提供することを目的とする。
【課題を解決するための手段】
【００１５】
このような課題を達成するために、請求項1に記載の発明は、取り込んだデータを記録する機能を有する記録機能付き測定器において、データ処理された被測定対象の信号を格納し、格納されたデータを表示用データに変換する表示処理部と、前記表示処理部の出力を入力とし、記録用データを格納する記録メモリと、前記記録メモリのデータを読み込み記録する記録部とを備える。
【００１６】
また、請求項２の発明は、取り込んだデータを記録する機能を有する記録機能付き測定器において、データ処理された被測定対象の信号を格納する表示メモリと、前記表示メモリのデータを読み込み、合成処理を行い、表示部に出力する合成処理部と、前記合成処理部の出力を入力とし、記録用データを格納する記録メモリと、前記記録メモリのデータを読み込み記録する記録部とを備える。
【００１７】
請求項３の発明は、請求項２の発明において、前記記録メモリは、制御部の指示により前記合成処理部のデータを格納して、前記記録部に記録することを特徴とする。
【００１８】
請求項４の発明は、取り込んだデータを記録する機能を有する記録機能付き測定器において、データ処理された被測定対象の信号を格納する表示メモリと、前記表示メモリのデータを読み込み、合成処理を行い、表示部に出力する第１の合成処理部と、前記表示メモリのデータを読み込み、合成処理を行う第２の合成処理部と、前記第２の合成処理部の出力を入力とし、記録用データを格納する記録メモリと、前記記録メモリのデータを読み込み記録する記録部とを備える。
【００１９】
請求項５の発明は、請求項４の発明において、前記記録メモリは、制御部の指示により前記第２の合成処理部のデータを格納して、前記記録部に記録する。
【００２０】
請求項６の発明は、請求項２乃至４の発明において、前記記録メモリは前記表示メモリの更新レートに同期してデータを格納する。
【００２１】
請求項７の発明は、アクイジションメモリは前期被測定対象の信号をＡ／Ｄ変換して格納し、データ処理回路は前記アクイジションメモリのデータを読み出し、色なし波形ビットマップデータに変換して前記表示メモリに格納し、前記合成処理部は前記表示メモリのデータを読み出してＲＧＢデータに変換し、前記記録メモリは前記合成処理部で変換されたＲＧＢデータを波形ビットマップデータとして格納し、前記記録部は前記記録メモリのデータを読み込み記録する。
【発明の効果】
【００２２】
この発明によれば、合成処理部で変換された波形ＲＧＢデータを格納する記録メモリを設けているので、記録部に波形データを記録する場合には、制御部は記録メモリよりデータを読み出して記録部に記録する処理を行うのみで、従来必要としていたＲＧＢ変換等を実行する必要がなく、制御部内部での処理が増大する事がなくなる。
【００２３】
また、合成処理部で変換されたＲＧＢデータを記録メモリに格納し、制御部は記録メモリのデータを読み出して記録部に記録するため、波形データの表示更新を停止することなく、記録部への波形データを記録する記録機能付き測定器を提供することができる。
【００２４】
さらに、表示処理部と記録処理部にそれぞれ合成処理部を備える構成とすることにより、表示部と記録部で記録されたデータの色の違いを補正することができる。
【発明を実施するための最良の形態】
【００２５】
以下、本発明による記録機能付き測定器を説明する。図１は本発明の一実施例を示す構成図である。図１で、図４と同一のものについては同一の符号をつけ、説明を省略する。図１で、表示処理回路１０は図４の表示処理部３０の構成に記録メモリ３Ｃを追加したものである。記録メモリ３Ｃは合成処理部３Ｂから表示部６に出力されるデータから分岐して、ＲＧＢデータを入力している。
【００２６】
次に、図１の動作を説明する。記録部５への記録を実行する場合、制御部４あるいは図示しない外部入力手段等は表示処理回路１０に対して、記録メモリ３Ｃにデータを格納する指示を行う。この指示により、合成処理部３ＢによりＲＧＢ変換されたデータは表示部６に転送されるとともに、記録メモリ３Ｃに格納される。記録メモリ３Ｃに格納されたデータは制御部４を介して記録部５に転送され、記録される。
【００２７】
データは一定の更新レートで更新され、表示部６に表示されているので、この更新レートの１回分のデータを記録メモリ３Ｃに転送する。転送処理自体も、１更新分の時間内で完了する。
【００２８】
次に、この発明による他の実施例の構成を図２を参照して説明する。図２で、表示メモリ３Ａに格納されたビットマップデータは、合成処理部３Ｂと合成処理部３Ｄに同時に入力される構成としている。
【００２９】
図２で、表示メモリ３Ａと合成処理部３Ｂで表示処理部３０を構成し、合成処理部３Ｄと記録メモリ３Ｅで記録処理部４０を構成する。合成処理部３Ｄは、合成処理部３Ｂと同様に入力されたビットマップデータを内部レジスタに備えられているカラーパレットに従ってビットマップデータをＲＧＢデータ変換し、記録メモリ３Ｅに格納する。
【００３０】
図２の構成において、記録部５への記録を実行する場合、制御部４あるいは図示しない外部入力手段等は表示処理回路２０に対して、記録メモリ３Ｅにデータを格納する指示を行う。この指示により、合成処理部３ＤによりＲＧＢ変換されたデータは表示部６に転送されるとともに、記録メモリ３Ｅに格納される。データは一定の更新レートで更新されているので、この更新レートの１回分のデータを記録メモリ３Ｅに転送する。
【００３１】
記録メモリ３Ｅに格納されたデータは、図１と同様に制御部４を介して記録部５に転送され、記録される。
【００３２】
図２で、表示処理回路２０は、表示処理部３０と記録処理回路４０に合成処理部３Ｂ、３Ｄを備えているので、カラーパレットをディスプレー等の表示部用とプリンタ等の記録部用でそれぞれ備えることになり、例えばディスプレーに表示された色と、プリンタに出力された色の違いを感じたときに、これを補正することができる。また、必要に応じて、ディスプレー表示と異なる色での記録をすることができる。
【図面の簡単な説明】
【００３３】
【図１】本発明の一実施例の構成図である。
【図２】本発明の他の実施例の構成図である。
【図３】一般的なデジタルオシロスコープの構成図である。
【図４】従来技術による記録機能を備える測定器の構成図である。
【符号の説明】
【００３４】
１          アクイジションメモリ
２          データ処理回路
３Ａ        表示メモリ
３Ｂ、３Ｄ  合成処理部
３Ｃ、３Ｅ  記録メモリ
４          制御部
５          記録部
６          表示部
１０、２０  表示処理回路
３０        表示処理部
４０        記録処理部
【図１】
2006162395.tif 000003
【図２】
2006162395.tif 000004
【図３】
2006162395.tif 000005
【図４】
2006162395.tif 000006